(57)【要約】【課題】  クリーニングディスクによる対物レンズ等のクリーニング時に、クリーニングディスクのブラシが、ダンパ部材に接触するのを防ぎ、ブラシに付着したダンパ部材による対物レンズの汚れ、またブラシの接触によるダンパ部材の劣化を防止する。【解決手段】  対物レンズが設けられた可動部と、該可動部をホルダに弾性支持するワイヤと、該ワイヤの該ホルダへの取付け部分付近に設けられたダンパ部材と、を有する光ピックアップにおいて、クリーニングディスクによる前記対物レンズのクリーニング時に、該クリーニングディスクのブラシが前記ダンパ部材に接触するのを抑制し、且つ、前記対物レンズの位置制御に伴う前記ワイヤの移動で、該ワイヤが接触しない形状に形成されたカバーを有することを特徴とする。【選択図】  図１
2005203013.tif 000002
【特許請求の範囲】
【請求項１】
対物レンズが設けられた可動部と、該可動部をホルダに弾性支持するワイヤと、該ワイヤの該ホルダへの取付け部分付近に設けられたダンパ部材と、を有する光ピックアップにおいて、
クリーニングディスクによる前記対物レンズのクリーニング時に、該クリーニングディスクのブラシが前記ダンパ部材に接触するのを抑制し、且つ、前記対物レンズの位置制御に伴う前記ワイヤの移動で、該ワイヤが接触しない形状に形成されたカバーを有することを特徴とする光ピックアップ。
【請求項２】
対物レンズが設けられた可動部と、該可動部をホルダに弾性支持するワイヤと、該ワイヤの該ホルダへの取付け部分付近に設けられたダンパ部材と、を有する光ピックアップにおいて、
クリーニングディスクによる前記対物レンズのクリーニング時に、該クリーニングディスクのブラシが前記ダンパ部材に接触するのを抑制するように、該ブラシを該ダンパ部材の直前で跳ね上げる突出部が設けられたカバーを有することを特徴とする光ピックアップ。
【発明の詳細な説明】
【技術分野】
【０００１】
本発明は、光ディスクに記録された情報を光学的に読み取る光ピックアップに係り、特にクリーニングディスクによる対物レンズ等へのクリーニング時の悪影響（クリーニングディスクのブラシのダンパ部材への接触に基因する対物レンズの汚れ等）を防止する光ピックアップに関する。
【背景技術】
【０００２】
光ピックアップは、フォーカス制御信号やトラッキング制御信号で対物レンズを移動し、その焦点を光ディスクに合わせて情報を読み取るものである。このため、代表的な光ピックアップの構造は、４本のワイヤで対物レンズを弾性支持する構造となっている。そして、対物レンズにおける不要振動を抑えるため、ワイヤのホルダ固定部分付近にはダンパ部材が設けられている(例えば、特許文献１による提案参照)。
【特許文献１】特開２０００−１２３３８０号公報
【発明の開示】
【発明が解決しようとする課題】
【０００３】
光ピックアップの対物レンズは、汚れると情報の読み取り能力が劣化するため、適宜にクリーニングディスク等によりクリーニングする必要がある。しかし、対物レンズのクリーニング時において、クリーニングディスクに設けられたブラシのダンパ部材への接触に基因する対物レンズの汚れ、またダンパ部材の劣化等、悪影響を受ける恐れがある。
【０００４】
つまり、クリーニングディスク等による対物レンズ等へのクリーニングは、ブラシをレンズ等に接触させることにより行うが、この場合、レンズ等だけでなく、ダンパ部材にも接触してしまう場合がある。このブラシがダンパ部材に接触した場合、ダンパ部材は柔らかい部材、例えばゲル状の部材で構成されているため、ブラシにダンパ部材が付着し、それがかえってレンズを汚してしまう問題がでてくる。また、ダンパ部材自体の性能にも悪影響を及ぼす危険があった。
【０００５】
本発明は、上記のような問題に鑑みなされたもので、クリーニングディスクによる対物レンズ等のクリーニング時において、クリーニングディスクのブラシがダンパ部材に接触するのを抑制し、対物レンズ等の汚れ等が起こらないようにした光ピックアップを実現することを課題とする。
【課題を解決するための手段】
【０００６】
上記目的を達成するために、本発明は、対物レンズが設けられた可動部と、該可動部をホルダに弾性支持するワイヤと、該ワイヤの該ホルダへの取付け部分付近に設けられたダンパ部材と、を有する光ピックアップにおいて、クリーニングディスクによる前記対物レンズのクリーニング時に、該クリーニングディスクのブラシが前記ダンパ部材に接触するのを抑制し、且つ、前記対物レンズの位置制御に伴う前記ワイヤの移動で、該ワイヤが接触しない形状に形成されたカバーを有することを特徴とするものである。
【０００７】
また、対物レンズが設けられた可動部と、該可動部をホルダに弾性支持するワイヤと、該ワイヤの該ホルダへの取付け部分付近に設けられたダンパ部材と、を有する光ピックアップにおいて、クリーニングディスクによる前記対物レンズのクリーニング時に、該クリーニングディスクのブラシが前記ダンパ部材に接触するのを抑制するように、該ブラシを該ダンパ部材の直前で跳ね上げる突出部が設けられたカバーを有することを特徴とするものである。
【発明の効果】
【０００８】
本発明によれば、クリーニングディスクによる対物レンズ等のクリーニングディスク時に、クリーニングディスクのブラシの先端部がダンパ部材に接触し難くなる。従って、ブラシへのダンパ部材の付着が抑止され、ブラシに付着したダンパ部材による対物レンズ等の汚れを防止することができ、また、ダンパ部材の劣化も防止できる。
【発明を実施するための最良の形態】
【０００９】
〔実施の形態１〕
本発明の第１の実施の形態に係る光ピックアップ１０について、図面を参照して説明する。
【００１０】
図１は本発明の第１の実施の形態に係る光ピックアップの構造図で、（ａ）は上面図、（ｂ）は断面図、（ｃ）は対物レンズが上方向へ移動した状態における移動状態断面図である。
【００１１】
光ピックアップ１０は、可動部１と固定部２、及び固定部２を取付け保持する光学ベース７等から構成されており、ディスクに発光素子からの光を集光照射し、その反射光を受光素子で電気信号に変換するものである。
【００１２】
可動部１は、対物レンズ３、トラッキングコイル５、フォーカスコイル６、レンズ保持板４等で構成されている。対物レンズ３は、光ディスクに光を集光照射し、また光ディスクからの反射光を集光するもので、ガラス、透明樹脂材等により成形されている。レンズ保持板４は、対物レンズ３を保持するもので、ポリプロピレン等の樹脂材で成形されている。トラッキングコイル５は、トラッキング制御用のコイルで、レンズ保持板４に巻きつけられている。また、フォーカスコイル６は、フォーカス制御用のコイルで、レンズ保持板４に巻きつけられている。そして、トラッキングコイル５とフォーカスコイル６は、固定部２に設けられたマグネット(図示していない、対物レンズ３を駆動する永久磁石)により、電流が流された時に、その電流に応じた電磁力で対物レンズ３を移動するものである。尚、レンズ保持板４には、トラッキングコイル５、フォーカスコイル６を巻きつけるための凹部が設けられている。
【００１３】
固定部２は、４本のワイヤ１４、ダンパ部材１３、ホルダ１２、プリント基板１５、カバー１１等で構成されている。ワイヤ１４は、４本で可動部１を弾性移動可能にホルダ１２に固定するもので、弾性を有するピアノ線等により成形されている。そして、このワイヤ１４の端部１４ａがレンズ保持板４に固定され、他の端部１４ｂがホルダ１２に固定されている。ダンパ部材１３は、ワイヤ１４の動きを緩衝抑制するもので、柔らかい部材、例えばゲル状の絶縁樹脂材等で成形され、ワイヤ１４が配設されるホルダ１２の所定部位に充填されている。このダンパ部材１３でワイヤ１４を緩衝抑制することにより、ワイヤ１４に連結されたレンズ保持板４の不要振動が抑えられ、対物レンズ３の位置制御が容易なものとなっている。尚、光ピックアップ１０は、ホルダ１２側がディスク回転方向の上流側（可動部１がディスク回転方向の下流側）となるように配置されている。
【００１４】
ホルダ１２は、直方体形状に樹脂材等により成形されており、光学ベース７に設置されている。このホルダ１２の上下面には、ワイヤ１４を配設してダンパ部材１３を充填する溝１２ａが形成されている。プリント基板１５は、ワイヤ１４を介してトラッキングコイル５、フォーカスコイル６に制御電流を流す回路が形成されたもので、ホルダ１２の側面部（可動部１とは反対側に位置する面）に設置されている。そして、各ワイヤ１４の端部１４ｂはこのプリント基板１５の制御電流出力パターンにハンダ付け固定され、また他の端部１４ａがトラッキングコイル５、フォーカスコイル６に接続されている。
【００１５】
カバー１１は、可動部１を覆うようにして対物レンズ３等の部品を保護するものであり、上下面がそれぞれ開口した板状の箱型形状に金属材等でプレス等により成形されており、ホルダ１２に取付固定されている。そして、カバー１１の上部面には、可動部１に対向する位置が四角型形状で、ワイヤ１４とダンパ部材１３に対向する位置が三角形状の開口部１１ａが設けられている。
【００１６】
この開口部１１ａは、可動部１のトラッキング制御及びフォーカス制御に伴う対物レンズ３の移動時、可動部１と各ワイヤ１４が、それぞれカバー１１に接触しないような形状に設けられたものである。また、切り欠き１１ｂの形状は、ワイヤ１４が接触せず、また開口が小さくなるように工夫した三角形状となっている。つまり、ワイヤ１４の移動は可動部１側が大きく、ホルダ１２側が小さいため、このような三角形状が適したものとなる。尚、開口面積は大きくなるがカバー１１を、ダンパ部材１３を覆い、ワイヤ１４は殆ど覆わない形状としても良い。
【００１７】
尚、発光／受光素子、必要に応じた位置に光線を導く導光部材、光ピックアップを構成する部品の土台となる光学ベース７等が、これらホルダ１２の下部に設けられるが、これら部品の詳細な説明は省略する。
【００１８】
次に、光ピックアップ１０の動作について説明するが、本実施の形態に係わる特徴に直接関係のない説明は省略し、主に、可動部1付近の動作について説明する。
【００１９】
光ピックアップ１０は、対物レンズ３の焦点を光ディスク（図示せず）に合わせるため、フォーカス制御信号やトラッキング制御信号で対物レンズ３を所定位置に移動し、情報の読み取りを行う。具体的にはフォーカス制御信号は所定ワイヤ１４を介してフォーカスコイル６に供給され、マグネットとの磁力により、可動部１にフォーカス制御信号に応じた力が加わり、可動部１はワイヤ１４の弾性力に抗して移動する。また、トラッキング制御信号は所定ワイヤ１４を介してトラッキングコイル５に供給され、マグネットとの磁力により、可動部１にトラッキング制御信号に応じた力が加わり、そして可動部１はワイヤ１４の弾性力に抗して移動する。
【００２０】
これらの移動により、ディスクの所望位置に光が集光され、また、その反射光を適切に受光できることとなる。
【００２１】
この移動の際、可動部１とワイヤ１４が、Ｐ１１―Ｐ１２方向、Ｆ１１―Ｆ１２方向に移動するが、カバー１１の開口部１１ａにより、可動部１とワイヤ１４はカバー１１に接触しない。逆に言えば、通常動作状態における最大移動状態でも、可動部１とワイヤ１４がカバー１１に接触しないように開口部１１ａの形状を設定する必要がある。
【００２２】
次に、クリーニングディスク８による対物レンズ３のクリーニングの状態について説明する。
【００２３】
対物レンズ３等のクリーニング時は、クリーニングディスク８のブラシ９がクリーニングディスク８の回転に伴って、光ピックアップ１０のディスク側表面に接触しながら移動することになる。そして、このブラシ９が対物レンズ３の表面に接触してホコリ等を掃出すことにより、対物レンズ３がクリーニングされることになる。そして、本実施の形態による構造では、ダンパ部材１３はカバー１１により、その多くが覆われている構造となっているので、ブラシ９のダンパ部材１３への接触が抑えられる。従って、ダンパ部材１３がブラシ９に付着し、それが対物レンズ３に付着して汚れること、またダンパ部材１３がブラシ９により削られ劣化することが抑止される。
【００２４】
尚、ブラシ９の外径寸法を三角形状の切り欠き１１ｂの幅寸法よりも大きく設定して束ねることにより、ブラシ９全体が、切り欠き１１ｂに落ち込み、ブラシ９がダンパ部材１３に強く接触することを、抑止することもできる。
【００２５】
以上のように、本発明の第１の実施の形態によれば、ダンパ部材１３が露出している部分（切り欠き１１ｂの部分）を狭くしているので、対物レンズ３等のクリーニング時に、クリーニングディスク８のブラシ９がダンパ部材１３に接触し難くなっている。従って、ブラシ９に付着したダンパ部材１３を原因とする対物レンズ３等への汚れを防止することができ、またブラシ９の接触によるダンパ部材１３の劣化も防止できる。
〔実施の形態２〕
次に、本発明の第２の実施の形態に係る光ピックアップ２０について、図面を参照して説明する。
【００２６】
図２は本発明の第２の実施の形態に係る光ピックアップの構造図で、（ａ）は上面図、（ｂ）は対物レンズの上方向へ移動した状態の移動状態断面図である。尚、第２の実施の形態は第１の実施の形態の一部を変更したものであり、第１の実施の形態と同じ構成については同じ符号を付し、説明を省略する。
【００２７】
第２の実施の形態に係る光ピックアップ２０は、第１の実施の形態に係るものに対し、カバー１１の形状を変更したものである。
【００２８】
カバー２１は、図１のカバー１１と同様、可動部１を覆うようにして対物レンズ３を保護するものである。尚、本第２の実施の形態でも、第１の実施の形態と同様、光ピックアップ２０は、ホルダ２２側がディスク回転方向の上流側（可動部１がディスク回転方向の下流側）となるように配置されている。
【００２９】
このカバー２１の開口部２１ａにおける切り欠き２１ｃの側縁上部面（ディスクの回転方向の上流側）には、ディスク方向に突出する突出部２１ｂが設けられている。この突出部２１ｂは、対物レンズ３のクリーニング時に、高速回転しているブラシ９を光ピックアップ２０表面から跳ね上げ、ブラシ９の先端部がダンパ部材２３に接触し難くなるように設けられたものである。即ち、高速回転しているブラシ９の先端部が、突出部２１ｂにより跳ね上げられてダンパ部材２３を飛び越える。従って、突出部２１ｂの形状寸法は、クリーニングディスク８の使用時に、ブラシ９が跳ね上げられてダンパ部材２３を飛び越えるように設定されるのが好ましい。
【００３０】
尚、第１の実施の形態に係るものの三角形状の切り欠き１１ｂと、本第２の実施の形態に係るものの突出部２１ｂとを併用して形成し、ブラシ９の先端がダンパ部材２３に、より接触し難いようにすることもできる。
【００３１】
尚、突出部２１ｂは、カバー２１に設けられた切り欠き２１ｃの一端部をＬ字状に折り曲げて形成するか、別部品の突起部を取付ける等の方法により実施できる。
【００３２】
以上のように、本発明の第２の実施の形態によれば、対物レンズ３等のクリーニング時に、クリーニングディスク８のブラシ９がダンパ部材２３の直前で跳ね上げられてダンパ部材２３に接触し難くなっている。従って、ダンパ部材２３への接触を原因とする対物レンズ３等への汚れを防止することができ、またブラシ９の接触によるダンパ部材２３の劣化も防止できる。
【図面の簡単な説明】
【００３３】
【図１】本発明の第１の実施の形態に係る光ピックアップの構造図である。
【図２】本発明の第２の実施の形態に係る光ピックアップの構造図である。
【符号の説明】
【００３４】
１・・・可動部
３・・・対物レンズ
８・・・クリーニングディスク
９・・・ブラシ
１０、２０・・・光ピックアップ
１１、２１・・・カバー
１２、２２・・・ホルダ
１３、２３・・・ダンパ部材
１４、２４・・・ワイヤ
【図１】
2005203013.tif 000003
【図２】
2005203013.tif 000004